(57)【要約】【課題】水圧が高くスクイズオフによって完全に止水出来ない場合においても、電気融着継手を用いて良好な分岐接合を安定して行える不断水分岐方法を提供することを目的としている。【解決手段】スクイズオフ装置の上側スクイズバー２１と下側スクイズバー２２を用いて水道本管１の２箇所をそれぞれスクイズオフし、スクイズオフ部１２とスクイズオフ部１２との間を切除する。そして、短管５をチーズ型電気融着継手３ａの継手本体部３１の一側にセットするとともに、短管５にソケット型電気融着４ａを装着した継手ユニットを切除端１３間に配置する。また、紙おむつ６１を継手接続部１４内に挿入するとともに、紙おむつ６１に一端が結わえられた電気コード６２の他端を分岐部３２外に引き出した状態で、チーズ型電気融着継手３ａおよびソケット型電気融着４ａを用いて融着接合するようにした。【選択図】図５
2015083852.tif 000002
【特許請求の範囲】
【請求項１】
既設樹脂配管の分岐配管接続位置を挟んだ２箇所をそれぞれ止水状態となるようにスクイズオフ手段によってスクイズオフする工程と、
スクイズオフ状態の前記既設樹脂配管を、スクイズオフ部とスクイズオフ部との間で、両スクイズオフ部から延出する継手接続部を残した状態で切除する工程と、
継手本体部とこの継手本体部から分岐する分岐部を有する分岐継手を、少なくとも前記継手接続部と継手接続部の間に配置し、少なくとも分岐継手の前記継手本体部を電気融着することによって両継手接続部間を接続する工程と、
分岐部に分岐配管を接続する工程とを含む不断水分岐方法であって、
少なくとも１つの吸水材を、各継手接続部内に入り込ませ、前記スクイズオフ部からの継手接続部への漏水を吸水可能に配置するとともに、各吸水材に繋がる線条材の端部を前記分岐部の外側に引き出した状態で前記継手本体部を電気融着し、融着完了後に前記線条材を引張り前記吸水材を前記分岐継手外に引き出すことを特徴とする不断水分岐方法。
【請求項２】
継手接続部間を接続する前に、継手接続部の切除端からスクイズオフ部に至る部分にソケット型電気融着継手をスライド可能に嵌装しておき、スクイズ解除後にスクイズオフ部をほぼスクイズオフ前の状態に復元させるとともに、この復元部が隠蔽される位置まで前記ソケット型電気融着継手をスライドさせて既設樹脂配管に電気融着する請求項１に記載の不断水分岐方法。
【請求項３】
分岐継手の継手本体部の少なくとも一端に継手本体部の軸方向にスライド可能なやりとり継手を介在させる請求項１または請求項２に記載の不断水分岐方法。
【請求項４】
既設樹脂配管のスクイズオフ予定部を挟んで継手接続部の反対側の部分にそれぞれサドル型継手を取り付けた後、不断水状態で２つのサドル型継手間をバイパス管で接続する工程を含む請求項１〜請求項３のいずれかに記載の不断水分岐方法。
【発明の詳細な説明】
【技術分野】
【０００１】
本発明は、例えば、上水道配管等の不断水分岐方法に関する。
【背景技術】
【０００２】
既設の上水道配管に分岐配管路を設ける方法として、サドル継手を用いた不断水分岐方法（特許文献１〜特許文献３参照）が既に提案されている。
このサドル継手を用いた不断水分岐方法は、例えば、以下のようにして不断水で水道用の本管に分岐管を分岐接続して分岐管に通水を行えるようにしている。
【０００３】
すなわち、この不断水分岐方法は、まず、図９に示すように、水道用の本管１００に二つ割りのサドル２１１，２１２からなるサドル継手２００を取り付ける。このサドル２１１の分岐部２２０に設けられたフランジ２２１と、仕切り弁３００の一端に設けられたフランジ３１１とを用いて仕切り弁３００をサドル継手２００に取り付ける。そして、この仕切り弁３００の他端に設けられたフランジ３１２側に、先端に穿孔刃４１０を有する穿孔機４００を取り付ける。
つぎに、図９（ｂ）に示すように、仕切り弁３００の弁体３１０を上側に移動させて流路を開き、穿孔機４００を本管１００側に前進させて本管１００の管壁に図９（ｃ）に示すように、孔１１ａを開ける。孔１１ａを開けたのち、図９（ｃ）に示すように、穿孔機４００を元に位置まで戻し、弁体３１０を下側に移動させて仕切り弁３００の流路を閉じる。
【０００４】
そして、図９（ｄ）に示すように、穿孔機４００を仕切り弁３００から取り外して分岐管５００との配管接続を行なう。
この接続作業が完了したのち、再び仕切り弁３００の流路を開いて分岐管５００側へ通水する。
【０００５】
しかしながら、上記従来のサドル継手２００を用いた不断水分岐工法においては、本管１００外面と二つ割りサドル２１１，２１２の内面とはゴム輪を介して止水するため、融着接続する場合に比べて、接続部の止水性の信頼性がないとか、分岐側の口径を本管と同一口径にするのは困難であり、管路の圧力損失が大きくなる、などの問題があった。
更に、二つ割りのサドル２１１，２１２は強度の関係から、鋳鉄製となり、重たく腐食の心配があったり、施工後も仕切り弁３００が分岐配管に残り、コストが高いなどの問題もあった。
【０００６】
一方、上記の問題点を解決するために、図１０に示すようなスクイズオフによる不断水分岐方法も提案されている（特許文献４参照）。
この不断水分岐方法は、図１０（ａ）に示すように、新たに分岐部が設置される水道用の本管６００の外周面の新たに分岐部が設置される箇所を中心に、本管６００の長さ方向の前後に、所定の間隔をおいてバルブ機能付きのサドル型電気融着融着７００を取り付ける。（本管６００はポリエチレン製のもの、サドル型電気融着融着７００は不断水分岐ができる。）
つぎに、２つのサドル型電気融着融着７００の分岐部７０１同士を連結し、バイパス配管７１０を設ける。
続いて、図１０（ｂ）に示すように、両サドル型電気融着融着７００の内側に位置する本管６００の２箇所をスクイズオフ装置のスクイズバー８１０，８２０でスクイズオフし、両スクイズオフ部間と本管６００との間を止水する。
【０００７】
つぎに、図１０（ｃ）に示すように、両スクイズオフ部の間に位置する本管６００を所定長さにわたって切除する。つぎに、この切除部に、図１０（ｄ）に示すように、チーズ型継手９００を配置し、ソケットタイプの電気融着継手９１０をやりとり継手として用い、本管６００の切断端部とチーズ型継手９００の継手本体部９０１とを融着接続する。
そして、チーズ型継手９００の分岐部９０２側のフランジ９０３を利用して、分岐管側の配管作業を行なう。この分岐管側の配管が完了したのち、図１０（ｅ）に示すように、両スクイズオフ４による本管１の遮断を解除して分岐管側へ通水する。
【先行技術文献】
【特許文献】
【０００８】
【特許文献１】実公昭６１−１９２７２号公報
【特許文献２】特公平２−３９６７９号公報
【特許文献３】特開平９−１５９０８８号公報
【特許文献４】特開２０００−２３４６９３号公報
【発明の概要】
【発明が解決しようとする課題】
【０００９】
しかし、上記のようなスクイズオフ装置によってスクイズオフして不断水で分岐管を設ける方法においては、本管６００の水圧が高い場合や、現場の施工バラツキ（油圧管理等）、スクイズオフ装置の油圧能力等により、スクイズオフしても、完全に止水できない場合がある。
そして、止水が不完全な状況で電気融着を行うと、電気融着継手の融着面にスクイズオフ部から漏れ出た水が浸入し、融着不良を起こすおそれがある。
一方、メカニカル継手を用いれば、水が多少漏水している状況でも分岐接合することが可能であるが、メカニカル継手は金属製であるため、重量が重く作業性や輸送時に問題があるとともに、腐食の心配もある。
【００１０】
本発明は、上記事情に鑑みて、水圧が高くスクイズオフによって完全に止水出来ない場合においても、電気融着継手を用いて良好な分岐接合を安定して行える不断水分岐方法を提供することを目的としている。
【課題を解決するための手段】
【００１１】
上記目的を達成するために、本発明にかかる不断水分岐方法は、既設樹脂配管の分岐配管接続位置を挟んだ２箇所をそれぞれ止水状態となるようにスクイズオフ手段によってスクイズオフする工程と、スクイズオフ状態の前記既設樹脂配管を、スクイズオフ部とスクイズオフ部との間で、両スクイズオフ部から延出する継手接続部を残した状態で切除する工程と、継手本体部とこの継手本体部から分岐する分岐部を有する分岐継手を、少なくとも前記継手接続部と継手接続部の間に配置し、少なくとも分岐継手の前記継手本体部を電気融着することによって両継手接続部間を接続する工程と、分岐部に分岐配管を接続する工程とを含む不断水分岐方法であって、少なくとも１つの吸水材を、各継手接続部内に入り込ませ、前記スクイズオフ部からの継手接続部への漏水を吸水可能に配置するとともに、各吸水材に繋がる線条材の端部を前記分岐部の外側に引き出した状態で前記継手本体部を電気融着し、融着完了後に前記線条材を引張り前記吸水材を前記分岐継手外に引き出す融着完了後に前記線条材を引張り前記吸水材を前記分岐継手外に引き出すことを特徴としている。
なお、吸水材は、漏水を確実に吸水できるように、継手接続部の管底に沿うように配置することが好ましい。
【００１２】
本発明の不断水分岐方法は、特に限定されないが、継手接続部間を接続する前に、継手接続部の切除端からスクイズオフ部に至る部分にソケット型電気融着継手をスライド可能に嵌装しておき、スクイズ解除後にスクイズオフ部をほぼスクイズオフ前の状態に復元させるとともに、この復元部が隠蔽される位置まで前記ソケット型電気融着継手をスライドさせて既設樹脂配管に電気融着することが好ましい。
すなわち、例えば、ポリエチレン樹脂管の場合、復元した後に復元部において白化現象が生じるが、この白化部は、水流から受ける内圧や、外部からの外圧に対する耐久性が低下したものとなる。したがって、長期性能が悪化して、将来的に漏れが発生するおそれがある。しかし、上記のようにソケット型電気融着継手を復元部に外嵌し、電気融着することによって復元部がソケット型電気融着継手よって補強され、復元部から漏れが発生することを防止することができる。
【００１３】
また、本発明の不断水分岐方法は、特に限定されないが、分岐継手の継手本体部の少なくとも一端に継手本体部の軸方向にスライド可能なやりとり継手を介在させることが好ましい。
すなわち、既設樹脂配管は、施工時の気温等によって、切断時に切断端間の距離が一定ではない。したがって、やりとり継手を介在させ、やりとり継手を軸方向にスライドさせて切断端間の距離の変化に対応させ、融着の際の分岐継手の位置決めを容易にすることができる。
【００１４】
また、本発明の不断水分岐方法は、既設樹脂配管のスクイズオフ予定部を挟んで継手接続部の反対側の部分にそれぞれサドル型継手を取り付けた後、不断水状態で２つのサドル型継手間をバイパス管で接続する工程を含んでもよい。
【００１５】
本発明の不断水分岐方法において、吸水材としては、スクイズオフ部から漏れ出る水を吸水して、切断端の外側に漏れて電気融着を阻害しなければ特に限定されず、例えば、吸水性ポリマーを用いた市販の紙おむつや、布製ウエス等を用いることができる。また、紙おむつなどに使用されている吸水性ポリマーを透水性の袋内に充填したものでも構わないが、吸水性能が高いことから紙おむつ等の吸水性ポリマーを用いて吸水するものが好ましい。
線条材としては、上記吸水材を引っ張り出すことができれば、特に限定されないが、例えば、ナイロンロープ、ワイヤロープ、電気コード等が挙げられ、吸水材を引張り出すときに切れたりすることがないような強度があれば、可撓性に優れていることが好ましい。
【００１６】
本発明の不断水分岐方法において、既設樹脂配管を構成する樹脂管としては、特に限定されないが、例えば、ポリエチレン管、架橋ポリエチレン管、ポリブテン管、塩化ビニル樹脂管等が挙げられる。
【発明の効果】
【００１７】
本発明の不断水分岐方法は、以上のように、既設樹脂配管の分岐配管接続位置を挟んだ２箇所をそれぞれ止水状態となるようにスクイズオフ手段によってスクイズオフする工程と、スクイズオフ状態の前記既設樹脂配管を、スクイズオフ部とスクイズオフ部との間で、両スクイズオフ部から延出する継手接続部を残した状態で切除する工程と、継手本体部とこの継手本体部から分岐する分岐部を有する分岐継手を、少なくとも前記継手接続部と継手接続部の間に配置し、少なくとも分岐継手の前記継手本体部を電気融着することによって両継手接続部間を接続する工程と、分岐部に分岐配管を接続する工程とを含む不断水分岐方法であって、少なくとも１つの吸水材を、各継手接続部内に入り込ませ、前記スクイズオフ部からの継手接続部への漏水を吸水可能に配置するとともに、各吸水材に繋がる線条材の端部を前記分岐部の外側に引き出した状態で前記継手本体部を電気融着し、融着完了後に前記線条材を引張り前記吸水材を前記分岐継手外に引き出す融着完了後に前記線条材を引張り前記吸水材を前記分岐継手外に引き出すようにしたので、スクイズオフによって完全に止水できていない場合にも、本管側から漏水した水が吸水材に吸水され、融着部まで流れることがない。
したがって、多少、管内水が漏水している状態でも品質上問題なく融着接合できる。すなわち、分岐配管施工を容易かつ確実に行うことができる。
【図面の簡単な説明】
【００１８】
【図１】本発明の不断水分岐方法を用いた分岐配管の施工構造の１例を模式的に説明する図である。
【図２】本発明の不断水分岐方法の第１の実施の形態を工程順に説明する図であって、同図（ａ）はスクイズオフ工程、同図（ｂ）は分岐部切除工程をあらわしている。
【図３】スクイズオフ装置を説明する図であって、同図（ａ）はスクイズオフ前の状態、同図（ｂ）はスクイズオフ状態をあらわしている。
【図４】図２の後工程を説明する図であって、同図（ａ）は復元部補強用のソケット型電気融着継手をスクイズオフ部と、切断端との間にスライド嵌合させた状態をあらわし、型同図（ｂ）はチーズ型電気融着継手に短管、やりとり用のソケット型電気融着継手をセットした分岐ユニットに、吸水材ユニットをセットした状態をあらわしている。
【図５】図４の後工程を説明する図であって、同図（ａ）は分岐ユニットを継手接続部に融着した状態をあらわし、同図（ｂ）は分岐配管を接続した状態をあらわしている。
【図６】スクイズオフ部の復元方法を説明する図である。
【図７】図５の後工程を説明する図であって、復元部補強用のソケット型電気融着継手を復元部の周囲を隠蔽した状態で電気融着した状態をあらわしている。
【図８】本発明の不断水分岐方法の第２の実施の形態の  工程をあらわしている。
【図９】従来のサドル型継手を用いた分岐方法を工程順に説明する図である。
【図１０】従来のスクイズオフ装置を用いた分岐方法を工程順に説明する図である。
【発明を実施するための形態】
【００１９】
以下に、本発明を、その実施の形態をあらわす図面を参照しつつ詳しく説明する。
図１〜図７は本発明の不断水分岐方法の第１の実施の形態をあらわしている。
【００２０】
すなわち、この不断水分岐方法は、図１に示すように、例えば、既設樹脂配管である網状に張り巡らされた水道本管１に、分岐配管１０を以下のようにして分岐接合することができる。
【００２１】
（１）まず、既設樹脂配管であるポリエチレン製の水道本管１の分岐配管接続位置およびその近傍部の地面を開削し、この開削部において、図２（ａ）に示すように、水道本管１の分岐配管接続位置の両側を図３（ａ）に示すスクイズオフ装置２の上側スクイズバー２１と、下側スクイズバー２２との間に配置したのち、図３（ｂ）に示すように、上側スクイズバー２１を下側スクイズバー２２方向に動かしてスクイズオフする。
（２）図４（ａ）に示すように、スクイズオフ状態の水道本管１を、スクイズオフ部１２とスクイズオフ部１２との間で、継手接続部１４を残した状態で切除する。また、継手接続部１４の切除端１３とスクイズオフ部１２までの長さは、後述する補強用ソケット型電気融着継手４ｂがスライド嵌合した状態で、継手接続部１４の切除端１３側にフランジ付きチーズ型電気融着継手３ａの継手本体部３１あるいはやりとり用のソケット型電気融着継手４ａが電気融着可能な長さ以上とする。
【００２２】
（３）図４（ｂ）に示すように、分岐継手であるポリエチレン製のフランジ付きチーズ型電気融着継手３ａの継手本体部３１の一方にポリエチレン製の短管５をセットするとともに、短管５の他端部にやりとり継手としてのソケット型電気融着継手４ａをスライド可能にセットした継手ユニット状態とする。
（４）図４（ｂ）に示すように、後述する復元部１２ａを補強する補強用ソケット型電気融着継手４ｂを継手接続部１４にスライド嵌合する。
【００２３】
（５）図４（ｂ）に示すように、吸水材としての市販の紙おむつ６１を線条材としての電気コード（銅線の表面をビニル樹脂被覆したもの）の一端に結わえ付けた２つの吸水材ユニット６を、一方の吸水材ユニット６の紙おむつ６１が短管５の開放端から外側に露出し、他方の吸水材ユニット６の紙おむつ６１が短管５がセットされていない継手本体部３１の開放端から外側に露出するとともに、両吸水材ユニット６の電気コード６２の開放端が分岐部３２からフランジ付きチーズ型電気融着継手３ａの外部に延出するようにセットする。
（６）上記継手ユニット状態となったフランジ付きチーズ型電気融着継手３ａ、短管５を切除端１３間に配置し、図５（ａ）に示すように、継手本体部３１の他方に一方の継手接続部１４を嵌合するとともに、他方の継手接続部１４と短管５とを突き合わせた状態にし、突合せ部の覆うようにソケット型電気融着継手４ａをスライドさせる。
【００２４】
（７）必要に応じて、電気コード６２を分岐部３２側から継手本体部３１側に押し込んで、紙おむつ６１が継手接続部１４内に入り込むようにセットし、スクイズオフ部１２から漏水がある場合、紙おむつ６１に吸水させる。
なお、このとき、紙おむつ６１は、漏水を確実に吸水できるように、継手接続部１４の管底に受けられるようにすることが好ましい。
（８）フランジ付きチーズ型電気融着継手３ａおよびソケット型電気融着継手４ａに通電して、電気融着により２つの継手接続部１４を、フランジ付きチーズ型電気融着継手３ａ、短管５およびソケット型電気融着継手４ａを介して接合する。
【００２５】
（９）電気コード６２を分岐部３２外から引っ張り、図５（ｂ）に示すように、紙おむつ６１を分岐部３２外に取り除いたのち、分岐部３２に設けられたフランジ３３と、分岐配管１０の一端に設けられたフランジ１０ａと用いてフランジ接続して、分岐部３２と分岐配管１０とを接合する。
（１０）スクイズオフ装置２の上側スクイズバー２１と下側スクイズバー２２によるスクイズを解除したのち、スクイズオフ装置２を取り除く。
【００２６】
なお、上側スクイズバー２１と下側スクイズバー２２によるスクイズを解除するにあたり、分岐配管１０のバルブ（図示せず）ｔ１１）図６に示すように、スクイズを解除したスクイズオフ部１２を復元矯正具７を用いてほぼ円筒状に復元する。
すなわち、スクイズオフ部１２は、スクイズを解除すると徐々に元の円筒状態に戻ろうとするが、完全には戻らないため、復元矯正具７を用いる。
【００２７】
（１２）図７に示すように、継手接続部１４に嵌められたソケット型電気融着継手４ｂをそれぞれ復元部１２ａが周囲から覆われるようにスライドさせるとともに、通電して水道本管１に電気融着する。
すなわち、スクイズオフ部１２は、円筒形状の水道本管１が押し潰されるため、円筒状に復元する作業を行った場合に、復元部１２ａは、部分的に薄肉状になったり損傷する等の現象が起こり、また、白化現象が起こる。そこで、復元部１２ａが、ソケット型電気融着継手４ｂによって補強される。
【００２８】
（１３）開削部を埋め戻し、必要に応じて舗装する。
【００２９】
この不断水分岐方法によれば、上記のように、水道本管１側の水がスクイズオフ部１２を介して継手接続部１４側に漏水しても、漏れ出た水が紙おむつ６１によって吸水される。
したがって、電気融着部分に水濡れが発生することなく、電気融着継手を用いて良好な分岐接合を安定して行える。
【００３０】
また、線条材としてビニル樹脂被覆された電気コード６２を用いるようにしたので、腰があり、押し引きしやすい。また、紙おむつ６１を引き出す際に、管内面を傷つけにくい。
さらに、復元部１２ａをソケット型電気融着継手４ｂによって外側から補強するようにしたので、強度的に弱くなった復元部１２ａを外部からの衝撃に対して保護することができるとともに、水道圧に対しても十分に耐久性を備えたものとなる。すなわち、このように、非常に耐久性が向上して、長期間の使用において、漏水等の発生を防ぐことができる。
【００３１】
図８は、本発明の不断水分岐方法の第２の実施の形態をあらわしている。
なお、図８において、上記第１の実施の形態と実質的に同じ構成部分は第１の実施の形態と同じ符号を付している。
【００３２】
図８に示すように、この不断水分岐方法は、分岐継手としてＳＰ型フランジ付チーズ３ｂを用いるとともに、短管５を用いず、継手本体部３４と継手接続部１４とをやりとり用のソケット型電気融着継手４ａを用いて接合するようにした以外は上記第１の実施の形態と同様になっている。
【００３３】
本発明の不断水分岐方法は、上記の実施の形態に限定されない。例えば、上記の実施の形態では、分岐継手のフランジと分岐配管のフランジとを直接接続するようにしていたが、間に仕切弁を介在させるようにしても良い。
上記の実施の形態では、分岐継手と分岐配管とをフランジ接続するようにしていたが、電気融着しても構わない。
【００３４】
上記の実施の形態では、水道本管が網状に張り巡らされていたが、網状になっていない場合、図１０に示す方法と同様にバイパス配管を設けるようにしても構わない。
上記の実施の形態では、既設樹脂配管が水道本管であったが、他の液状体の送液配管であっても構わない。
【００３５】
上記の実施の形態では、分岐継手がチーズ型であったが、分岐部が継手本体部に対し４５°に傾いていても構わないし、継手本体部に対し分岐部を複数備えた分岐継手を用い複数の分岐配管を接続できるようにして構わない。
【符号の説明】
【００３６】
１  水道本管（既設樹脂配管）
１２  スクイズオフ部
１２ａ  復元部
１３  切除端
１４  継手接続部
２  スクイズオフ装置
２１  上側スクイズバー
２２  下側スクイズバー
３ａ  フランジ付きチーズ型電気融着継手（分岐継手）
３ｂ  ＳＰ型フランジ付チーズ（分岐継手）
３１  継手本体部
３２  分岐部
３３  フランジ
３４  継手本体部
４ａ  ソケット型電気融着継手（やりとり継手）
４ｂ  補強用ソケット型電気融着継手
５  短管
６  吸水材ユニット
６１  紙おむつ（吸水材）
６２  電気コード
７  復元矯正具
１０  分岐配管
１０ａ  フランジ
【図１】
2015083852.tif 000003
【図２】
2015083852.tif 000004
【図３】
2015083852.tif 000005
【図４】
2015083852.tif 000006
【図５】
2015083852.tif 000007
【図６】
2015083852.tif 000008
【図７】
2015083852.tif 000009
【図８】
2015083852.tif 000010
【図９】
2015083852.tif 000011
【図１０】
2015083852.tif 000012